(57)【要約】      （修正有）【課題】ポケット本体を交換できるとともに、規格を同一にすることにより他人が着ている上衣やズボンのポケット本体とも交換でき、楽しく着ることができる。また、組合せバッグのポケット本体とも同一規格により、交換でき、トータルファッションとして提供する。【解決手段】服の部位を着脱自在に形成してなる組合せ服で、ズボンのあるいは上衣ポケット取付部に凸ファスナーあるいはファスナーを設け、凸ファスナーあるいは凹ファスナーに、凸ファスナーあるいは凹ファスナーを外周に設けてなるポケット本体を着脱自在に取付けてなり、規格を同一にすることにより交換可能に形成した組合せ服。【選択図】図１
0003135646.tif 000002
【実用新案登録請求の範囲】
【請求項１】
服の部位を着脱自在に形成してなる組合せ服で、ズボンあるいは上衣のポケット取付部に凸ファスナーあるいはファスナーを設け、該凸ファスナーあるいは凹ファスナーに、凸ファスナーあるいは凹ファスナーを外周に設けてなるポケット本体を着脱自在に取付けてなり、規格を同一にすることにより交換可能に形成してなることを特徴とする組合せ服。
【請求項２】
ズボンあるいは上衣の両ポケット取付部の、凸ファスナーの連結具を取外し位置にしたとき内側対向する位置に連結具を設けてなることを特徴とする請求項１記載の組合せ服。
【請求項３】
ポケット本体をリバーシブルにしてなることを特徴とする請求項１又は２記載の組合せ服。
【請求項４】
連結具が、取付時に下がるのを防止するための装飾固定具を設けてなることを特徴とする請求項１、２又は３記載の組合せ服。
【請求項５】
上衣あるいはズボンの裾の端部より逆Ｕ字形にカットし、カット面に凸ファスナーあるいは凹ファスナーを設け、該凸ファスナーあるいは凹ファスナーに、凹ファスナーあるいは凸ファスナーを外周に設けてなる裾部位を着脱自在に設けてなることを特徴とする請求項１、２、３又は４記載の組合せ服。
【請求項６】
上記ポケット本体及び／または裾部位をバッグ本体に着脱自在に形成してなることを特徴とする組合せバッグ。
【請求項７】
上記ポケット本体が、サイフであることを特徴とする組合せ服並びに組合せバッグ。
【請求項８】
上記ポケット本体が、写真入れであることを特徴とする組合せ服並びに組合せバッグ。
【請求項９】
上記ポケット本体が、道具の入れ物であることを特徴とする組合せ服並びに組合せバッグ。
【請求項１０】
上記ポケット本体が、モバイルの入れ物であることを特徴とする組合せ服並びに組合せバッグ。
【考案の詳細な説明】
【技術分野】
【０００１】  本考案は、上衣あるいはズボンのポケットを着脱自在に取り替えると共に、装飾金具にてファスナーが下がるのを防止し、ファッション性の高い組合せ服並びに組合せバッグに関するものである。
【背景技術】
【０００２】  従来の技術としては、シャツの前面腹部に横方向に設けた開口部からシャツの内側に垂下してなるポケットを設けると共に、前記シャツの外側に前記開口部を覆う蓋片を止具によって着脱自在にしたことを特徴とするポケット付きシャツがある。（特許文献１参照）【０００３】  また、他の従来技術としては、ベストに縫着されるポケット袋体において、前記ポケット袋体の裏布上端部をベスト本体の胴回り周辺部に縫着し、且つポケット袋体の裏布の裏面の下端部もしくは側面部の少なくともいずれか一方に係止具を設け、該係止具と相対するベスト本体の胴回り周辺部に係止具を設け、該係止具の着脱によりポケット袋体が着脱自在になるようにしたことを特徴とするベストがある。（特許文献２参照）
【特許文献１】  実用新案登録第３１１１９０７号公報
【特許文献２】  特開平１１−１２４７１４号公報
【考案の開示】
【考案が解決しようとする課題】
【０００４】  上記前者においては、蓋片を止具によって着脱自在に形成してなるもので、本考案のような、ポケット本体を自由に交換できるという作用効果は有していない。【０００５】  上記後者においては、ベストにポケット袋を着脱自在に設けてなるもので、リバーシブル機能や組合せ服と組合せバッグとの交換等ができるものではなく、本考案とは異なるものである。【０００６】  本考案は、上記の従来の構成が有していた問題を解決しようとするものであり、ポケット本体を交換できるとともに、規格を同一にすることにより他人が着ている上衣やズボンのポケット本体とも交換でき、楽しく着ることができる。
また、組合せバッグのポケット本体とも同一規格により、交換でき、トータルファッションとして提案できる。
さらに、裾部位においても規格を同一にすることにより組合せ服や組合せバッグに対して、交換可能に形成してなり、多彩なおしゃれを楽しむことができる。
【課題を解決するための手段】
【０００７】  本考案は、上記目的を達成する手段として、服の部位を着脱自在に形成してなる組合せ服で、ズボンあるいは上衣のポケット取付部に凸ファスナーあるいはファスナーを設け、該凸ファスナーあるいは凹ファスナーに、凸ファスナーあるいは凹ファスナーを外周に設けてなるポケット本体を着脱自在に取付けてなり、規格を同一にすることにより交換可能に形成してなる。
ズボンあるいは上衣の両ポケット取付部の、凸ファスナーの連結具を取外し位置にしたとき内側対向する位置に連結具を設けてなる。
ポケット本体をリバーシブルにしてなる。
連結具が、取付時に下がるのを防止するための装飾固定具を設けてなる。
上衣あるいはズボンの裾の端部より逆Ｕ字形にカットし、カット面に凸ファスナーあるいは凹ファスナーを設け、該凸ファスナーあるいは凹ファスナーに、凹ファスナーあるいは凸ファスナーを外周に設けてなる裾部位を着脱自在に設けてなる。
上記ポケット本体及び／または裾部位をバッグ本体に着脱自在に形成してなることを特徴とする組合せバッグ。
上記ポケット本体が、サイフであることを特徴とする組合せ服並びに組合せバッグ。
上記ポケット本体が、写真入れであることを特徴とする組合せ服並びに組合せバッグ。
上記ポケット本体が、道具の入れ物であることを特徴とする組合せ服並びに組合せバッグ。
上記ポケット本体が、モバイルの入れ物であることを特徴とする組合せ服並びに組合せバッグ。
【考案の効果】
【０００８】１）、ポケット本体を着脱自在にとりつけてなり、規格を同一にすることにより交換可能に形成し、新しいファッションを楽しむことができる。
２）、連結具を、ポケット本体取付時において、外側に位置させることにより、左右対称となり、よりファッション性が高くなる。
３）、ポケット本体をリバーシブルにすることにより、両面を楽しむことができ、特に、連結具の位置を左右対称としたときに、両ポケットが交換できる。
４）、装飾用金具を設けることにより、連結具のズレを防止すると共に、クサリ等の装飾品を付加することができ、一層おしゃれを楽しむことができる。
５）、上衣やズボンの裾に着脱自在な裾部位を設けることにより、特に汚れやすい部位であり、破損した場合でも簡単に交換でき、上衣やズボン自体長期に着ることができる。
６）、組合せバッグにおいても、ポケット本体や裾部位を同一規格にすることにより、交換でき、トータルファッションを楽しむことができる。
７），ポケット本体をサイフ・写真入れ・道具の入れ物・モバイルの入れ物等多様な形態が考えられ、多目的に使用できる。
【考案の実施するための最良の形態】
【０００９】  組合せ服１は、服Ｆ（この例の場合、ジーンズ生地によるズボン）の後部両側のポケット取付部２・２に連結具３ａ付の凸ファスナー３を、連結具３ａを向かって左方向に位置するように設けてなるもので、外周に凹ファスナー４ａを設けたポケット本体４・４（例として、Ａ文字とＢ文字が入ったもの）を着脱自在に設けてなり、規格（大きさや形状等）を同一にすることにより、交換可能に形成してなる。
【００１０】  上記組合せ服１の使用例としては、ポケット本体４・４の凹ファスナー４ａ・４ａの左上端部を連結具３ａに挿入し、右方向に移動させることによりポケット本体４・４を服Ｆに取り付けることができる。
【００１１】  つぎに、第２実施例の組合せ服について説明する。
組合せ服２１は、服Ｆ１の後部両側のポケット取付部２２・２２に各々連結具２３ａを内側に位置させるべく凸ファスナー２３を設けてなるもので、外周に凹ファスナー２４ａを設けたポケット本体２４・２４（例として、表がＣで裏がＤの文字とし、リバーシブルとなっている）を着脱自在に、上記と同様に形成してある。
【００１２】  つづいて、組合せ服２１の使用例について述べる。
上記と同様に、ポケット本体２４・２４の凹ファスナー２４ａ・２４ａ（左上端部と右上端部）を連結具２３ａに挿入し、外側方向に移動させることによりポケット本体２４・２４を服Ｆ１に取り付けることができる。
【００１３】  装飾固定具５は、連結具３３ａが下方にズレるのを防止するもので、掴み片３３ａ１の穴に通すアンカーピン５ａと、ポケットの内部に設ける固定具５ｂ（例えばネクタイピンを止めるもので、複数のベアリングをスプリングで押圧してなるもの）とで構成されている。
なお、クサリ等の装飾品Ｓをアンカーピン５ａにて取り付けてもよい。
【００１４】  組合せ服３１の裾部位３４は、上衣（腕）或いはズボンの裾の端部より逆Ｕ字形にカットし、カット面Ｍに、連結具３３ａ付の凸ファスナー３３を設けると共に、外周に凹ファスナー３４ａを設けたポケット本体３４（例としてＥ文字を表示してなる）を着脱自在に設けてなり、規格（大きさや形状等）を同一にすることにより、交換可能に形成してなる。
【００１５】  裾部位３４は、上衣（腕）やズボンの裾の端部に使用するものであるが、前記ポケット本体との交換も可能とする。
【００１６】  組合せバッグ４１は、バッグ本体４１ａのポケット取付部４２・４２に前記と同様なポケット本体４・２４及び裾部位３４を着脱自在に設けてなるもので、トータルファッションを楽しむことのできるものである。
【００１７】  最後に、各種用途別のポケット本体を説明する。
ポケット本体４４は、サイフとして使用できるよう凹ファスナー４４ａの内側に沿って袋体Ｐを設けてなるものである。
【００１８】  ポケット本体５４は、表面に透明なフィルムによる写真入れＳを設けてなるものである。
【００１９】  ポケット本体６４は、袋体Ｐ１内に各種道具を入れるべく仕切部ＳＫを設けてなるものである。
【００２０】  ポケット本体７４は、袋体Ｐ２内に各種モバイル（携帯電話やＵＳＢメモリー等）を入れるべく仕切部ＳＫ１を設けてなるものである。
【００２１】  上記各実施例において、ポケット本体・裾部位の大きさや形状は、特に限定するものではなく、規格を同一にすることが重要である。
また、材質等においても特に限定するものではない。
【図面の簡単な説明】
【００２２】
【図１】  本考案の第１実施例を示す組合せ服の要部の正面図。
【図２】  本考案の第１実施例を示す組合せ服のポケット本体の正面図。
【図３】  本考案の第１実施例を示す組合せ服の他のポケット本体の正面図。
【図４】  本考案の第１実施例を示す使用状態図。
【図５】  本考案の第２実施例を示す組合せ服の要部の正面図。
【図６】  本考案の第２実施例を示す組合せ服のポケット本体の表側の正面図。
【図７】  本考案の第２実施例を示す組合せ服のポケット本体の裏側の正面図。
【図８】  本考案の第２実施例を示す使用状態図。
【図９】  本考案の第３実施例を示す組合せ服の装飾固定具の正面図。
【図１０】  本考案の第４実施例を示す組合せ服の要部の正面図。
【図１１】  本考案の第１実施例を示す組合せバッグの正面図。
【図１２】  本考案のポケット本体の別の実施例を示す平面図。
【図１３】  本考案のポケット本体の別の実施例を示す正面図。
【図１４】  本考案のポケット本体の別の実施例を示す平面図。
【図１５】  本考案のポケット本体の別の実施例を示す平面図。
【符号の説明】
【００２３】  １−−−組合せ服
２−−−ポケット取付部
３−−−凸ファスナー
３ａ−−連結具
３ａ１−掴み片
４−−−ポケット本体
４ａ−−凹ファスナー
５−−−装飾固定具
５ａ−−アンカーピン
Ｆ−−−服
Ｓ−−−装飾品
Ｍ−−−カット面
Ｓ−−−写真入れ
Ｐ１−−袋体
ＳＫ１−仕切部
【図１】
0003135646.tif 000003
【図２】
0003135646.tif 000004
【図３】
0003135646.tif 000005
【図４】
0003135646.tif 000006
【図５】
0003135646.tif 000007
【図６】
0003135646.tif 000008
【図７】
0003135646.tif 000009
【図８】
0003135646.tif 000010
【図９】
0003135646.tif 000011
【図１０】
0003135646.tif 000012
【図１１】
0003135646.tif 000013
【図１２】
0003135646.tif 000014
【図１３】
0003135646.tif 000015
【図１４】
0003135646.tif 000016
【図１５】
0003135646.tif 000017
【手続補正書】
【提出日】平成19年6月14日(2007.6.14)
【手続補正１】
【補正対象書類名】実用新案登録請求の範囲
【補正対象項目名】全文
【補正方法】変更
【補正の内容】
【実用新案登録請求の範囲】
【請求項１】
服の部位を着脱自在に形成してなる組合せ服で、ズボンあるいは上衣のポケット取付部に凸ファスナーあるいはファスナーを設け、該凸ファスナーあるいは凹ファスナーに、凸ファスナーあるいは凹ファスナーを外周に設けてなるポケット本体を着脱自在に取付けてなり、規格を同一にすることにより交換可能に形成してなることを特徴とする組合せファッション品。
【請求項２】
ズボンあるいは上衣の両ポケット取付部の、凸ファスナーの連結具を取外し位置にしたとき内側対向する位置に連結具を設けてなることを特徴とする請求項１記載の組合せファッション品。
【請求項３】
ポケット本体をリバーシブルにしてなることを特徴とする請求項１又は２記載の組合せファッション品。
【請求項４】
連結具が、取付時に下がるのを防止するための装飾固定具を設けてなることを特徴とする請求項１、２又は３記載の組合せファッション品。
【請求項５】
上衣あるいはズボンの裾の端部より逆Ｕ字形にカットし、カット面に凸ファスナーあるいは凹ファスナーを設け、該凸ファスナーあるいは凹ファスナーに、凹ファスナーあるいは凸ファスナーを外周に設けてなる裾部位を着脱自在に設けてなることを特徴とする請求項１、２、３又は４記載の組合せファッション品。
【請求項６】
凸ファスナーあるいはファスナーを設け、該凸ファスナーあるいは凹ファスナーに、凸ファスナーあるいは凹ファスナーを外周に設けてなるポケット本体をバッグ本体に着脱自在に形成してなることを特徴とする組合せファッション品。
【請求項７】
ポケット本体が、サイフであることを特徴とする請求項１、２、３、４、５又は６記載の組合せファッション品。
【請求項８】
ポケット本体が、写真入れであることを特徴とする請求項１、２、３、４、５又は６記載の組合せファッション品。
【請求項９】
ポケット本体が、道具の入れ物であることを特徴とする請求項１、２、３、４、５又は６記載の組合せファッション品。
【請求項１０】
ポケット本体が、モバイルの入れ物であることを特徴とする請求項１、２、３、４、５又は６記載の組合せファッション品。
【手続補正２】
【補正対象書類名】明細書
【補正対象項目名】全文
【補正方法】変更
【補正の内容】
【考案の詳細な説明】
【技術分野】
【０００１】  本考案は、上衣あるいはズボンのポケットを着脱自在に取り替えると共に、装飾金具にてファスナーが下がるのを防止し、ファッション性の高い組合せファッション品に関するものである。
【背景技術】
【０００２】  従来の技術としては、シャツの前面腹部に横方向に設けた開口部からシャツの内側に垂下してなるポケットを設けると共に、前記シャツの外側に前記開口部を覆う蓋片を止具によって着脱自在にしたことを特徴とするポケット付きシャツがある。（特許文献１参照）【０００３】  また、他の従来技術としては、ベストに縫着されるポケット袋体において、前記ポケット袋体の裏布上端部をベスト本体の胴回り周辺部に縫着し、且つポケット袋体の裏布の裏面の下端部もしくは側面部の少なくともいずれか一方に係止具を設け、該係止具と相対するベスト本体の胴回り周辺部に係止具を設け、該係止具の着脱によりポケット袋体が着脱自在になるようにしたことを特徴とするベストがある。（特許文献２参照）
【特許文献１】  実用新案登録第３１１１９０７号公報
【特許文献２】  特開平１１−１２４７１４号公報
【考案の開示】
【考案が解決しようとする課題】
【０００４】上記前者においては、蓋片を止具によって着脱自在に形成してなるもので、本考案のような、ポケット本体を自由に交換できるという作用効果は有していない。【０００５】  上記後者においては、ベストにポケット袋を着脱自在に設けてなるもので、本考案のようなリバーシブル機能や組合せ服と組合せバッグとの交換等ができる組合せファッション品ではなく、本考案とは異なるものである。【０００６】  本考案は、上記の従来の構成が有していた問題を解決しようとするものであり、ポケット本体を交換できるとともに、規格を同一にすることにより他人が着ている上衣やズボンのポケット本体とも交換でき、楽しく着ることができる。
また、組合せバッグのポケット本体とも同一規格により、交換でき、トータルファッションとして提案できる。
さらに、裾部位においても規格を同一にすることにより組合せ服や組合せバッグに対して、交換可能に形成してなり、多彩なおしゃれを楽しむことができる。
【課題を解決するための手段】
【０００７】  本考案は、上記目的を達成する手段として、服の部位を着脱自在に形成してなる組合せ服で、ズボンあるいは上衣のポケット取付部に凸ファスナーあるいはファスナーを設け、該凸ファスナーあるいは凹ファスナーに、凸ファスナーあるいは凹ファスナーを外周に設けてなるポケット本体を着脱自在に取付けてなり、規格を同一にすることにより交換可能に形成してなる。
ズボンあるいは上衣の両ポケット取付部の、凸ファスナーの連結具を取外し位置にしたとき内側対向する位置に連結具を設けてなる。
ポケット本体をリバーシブルにしてなる。
連結具が、取付時に下がるのを防止するための装飾固定具を設けてなる。
上衣あるいはズボンの裾の端部より逆Ｕ字形にカットし、カット面に凸ファスナーあるいは凹ファスナーを設け、該凸ファスナーあるいは凹ファスナーに、凹ファスナーあるいは凸ファスナーを外周に設けてなる裾部位を着脱自在に設けてなる。
凸ファスナーあるいはファスナーを設け、該凸ファスナーあるいは凹ファスナーに、凸ファスナーあるいは凹ファスナーを外周に設けてなるポケット本体をバッグ本体に着脱自在に形成してなる。
ポケット本体が、サイフである。
ポケット本体が、写真入れである
ポケット本体が、道具の入れ物である
ポケット本体が、モバイルの入れ物であることを特徴とする。
【考案の効果】
【０００８】１）、ポケット本体を着脱自在にとりつけてなり、規格を同一にすることにより交換可能に形成し、新しいファッションを楽しむことができる。
２）、連結具を、ポケット本体取付時において、外側に位置させることにより、左右対称となり、よりファッション性が高くなる。
３）、ポケット本体をリバーシブルにすることにより、両面を楽しむことができ、特に、連結具の位置を左右対称としたときに、両ポケットが交換できる。
４）、装飾用金具を設けることにより、連結具のズレを防止すると共に、クサリ等の装飾品を付加することができ、一層おしゃれを楽しむことができる。
５）、上衣やズボンの裾に着脱自在な裾部位を設けることにより、特に汚れやすい部位であり、破損した場合でも簡単に交換でき、上衣やズボン自体長期に着ることができる。
６）、組合せバッグにおいても、ポケット本体を同一規格にすることにより、交換でき、トータルファッションを楽しむことができる。
７），ポケット本体をサイフ・写真入れ・道具の入れ物・モバイルの入れ物等多様な形態が考えられ、多目的に使用できる。
【考案の実施するための最良の形態】
【０００９】  組合せ服による組合せファッション品１は、服Ｆ（この例の場合、ジーンズ生地によるズボン）の後部両側のポケット取付部２・２に連結具３ａ付の凸ファスナー３を、連結具３ａを向かって左方向に位置するように設けてなるもので、外周に凹ファスナー４ａを設けたポケット本体４・４（例として、Ａ文字とＢ文字が入ったもの）を着脱自在に設けてなり、規格（大きさや形状等）を同一にすることにより、交換可能に形成してなる。
【００１０】  上記組合せ服による組合せファッション品１の使用例としては、ポケット本体４・４の凹ファスナー４ａ・４ａの左上端部を連結具３ａに挿入し、右方向に移動させることによりポケット本体４・４を服Ｆに取り付けることができる。
【００１１】  つぎに、第２実施例の組合せ服について説明する。
組合せ服による組合せファッション品２１は、服Ｆ１の後部両側のポケット取付部２２・２２に各々連結具２３ａを内側に位置させるべく凸ファスナー２３を設けてなるもので、外周に凹ファスナー２４ａを設けたポケット本体２４・２４（例として、表がＣで裏がＤの文字とし、リバーシブルとなっている）を着脱自在に、上記と同様に形成してある。
【００１２】  つづいて、組合せ服による組合せファッション品２１の使用例について述べる。
上記と同様に、ポケット本体２４・２４の凹ファスナー２４ａ・２４ａ（左上端部と右上端部）を連結具２３ａに挿入し、外側方向に移動させることによりポケット本体２４・２４を服Ｆ１に取り付けることができる。
【００１３】  装飾固定具５は、連結具３３ａが下方にズレるのを防止するもので、掴み片３３ａ１の穴に通すアンカーピン５ａと、ポケットの内部に設ける固定具５ｂ（例えばネクタイピンを止めるもので、複数のベアリングをスプリングで押圧してなるもの）とで構成されている。
なお、クサリ等の装飾品Ｓをアンカーピン５ａにて取り付けてもよい。
【００１４】  組合せ服による組合せファッション品３１の裾部位３４は、上衣（腕）或いはズボンの裾の端部より逆Ｕ字形にカットし、カット面Ｍに、連結具３３ａ付の凸ファスナー３３を設けると共に、外周に凹ファスナー３４ａを設けたポケット本体３４（例としてＥ文字を表示してなる）を着脱自在に設けてなり、規格（大きさや形状等）を同一にすることにより、交換可能に形成してなる。
【００１５】  裾部位３４は、上衣（腕）やズボンの裾の端部に使用するものであるが、前記ポケット本体との交換も可能とする。
【００１６】  組合せバッグによる組合せファッション品４１は、バッグ本体４１ａのポケット取付部４２・４２に前記と同様なポケット本体４・２４及び裾部位３４を着脱自在に設けてなるもので、トータルファッションを楽しむことのできるものである。
【００１７】  最後に、各種用途別のポケット本体を説明する。
ポケット本体４４は、サイフとして使用できるよう凹ファスナー４４ａの内側に沿って袋体Ｐを設けてなるものである。
【００１８】  ポケット本体５４は、表面に透明なフィルムによる写真入れＳを設けてなるものである。
【００１９】  ポケット本体６４は、袋体Ｐ１内に各種道具を入れるべく仕切部ＳＫを設けてなるものである。
【００２０】  ポケット本体７４は、袋体Ｐ２内に各種モバイル（携帯電話やＵＳＢメモリー等）を入れるべく仕切部ＳＫ１を設けてなるものである。
【００２１】  上記各実施例において、ポケット本体・裾部位の大きさや形状は、特に限定するものではなく、規格を同一にすることが重要である。
また、材質等においても特に限定するものではない。
【図面の簡単な説明】
【００２２】
【図１】  本考案の第１実施例を示す組合せ服による組合せファッション品の要部の正面図。
【図２】  本考案の第１実施例を示す組合せ服による組合せファッション品のポケット本体の正面図。
【図３】  本考案の第１実施例を示す組合せ服による組合せファッション品の他のポケット本体の正面図。
【図４】  本考案の第１実施例を示す使用状態図。
【図５】  本考案の第２実施例を示す組合せ服による組合せファッション品の要部の正面図。
【図６】  本考案の第２実施例を示す組合せ服による組合せファッション品のポケット本体の表側の正面図。
【図７】  本考案の第２実施例を示す組合せ服による組合せファッション品のポケット本体の裏側の正面図。
【図８】  本考案の第２実施例を示す使用状態図。
【図９】  本考案の第３実施例を示す組合せ服による組合せファッション品の装飾固定具の正面図。
【図１０】  本考案の第４実施例を示す組合せ服による組合せファッション品の要部の正面図。
【図１１】  本考案の第１実施例を示す組合せバッグによる組合せファッション品の正面図。
【図１２】  本考案のポケット本体の別の実施例を示す平面図。
【図１３】  本考案のポケット本体の別の実施例を示す正面図。
【図１４】  本考案のポケット本体の別の実施例を示す平面図。
【図１５】  本考案のポケット本体の別の実施例を示す平面図。
【符号の説明】
【００２３】１−−−組合せファッション品
２−−−ポケット取付部
３−−−凸ファスナー
３ａ−−連結具
３ａ１−掴み片
４−−−ポケット本体
４ａ−−凹ファスナー
５−−−装飾固定具
５ａ−−アンカーピン
Ｆ−−−服
Ｓ−−−装飾品
Ｍ−−−カット面
Ｓ−−−写真入れ
Ｐ１−−袋体
ＳＫ１−仕切部